(57)【要約】      （修正有）【課題】簡単に、登録されたファイルの中から所望のファイルを選択することができるテープ印刷装置およびその制御方法を提供する。【解決手段】情報を入力するための入力手段と、入力された情報に基づく編集データをファイルとして登録するファイル登録手段８２と、登録済みのファイルの中から、１のファイルを選択するファイル選択手段９１と、１のファイルの選択に際し、ファイルの内容を確認するために、登録済みのファイルの少なくとも一部の内容を、入力手段における表示文字サイズよりも小さい文字サイズで表示画面に表示するファイル情報縮小表示手段９１と、を備えた。【選択図】図４
2010173072.tif 000002
【特許請求の範囲】
【請求項１】
情報を入力するための入力手段と、
入力された前記情報に基づく編集データをファイルとして登録するファイル登録手段と、
登録済みの前記ファイルの中から、１のファイルを選択するファイル選択手段と、
前記１のファイルの選択に際し、前記ファイルの内容を確認するために、登録済みの前記ファイルの内容の少なくとも一部を、前記入力手段における表示文字サイズよりも小さい文字サイズで表示画面に表示するファイル情報縮小表示手段と、を備えたことを特徴とするテープ印刷装置。
【請求項２】
登録済みの前記ファイルを前記表示画面に表示する際の文字サイズ、表示可能な行数および表示可能な文字数の内、少なくとも１つを設定するためのファイル表示設定手段をさらに備え、
前記ファイル情報縮小表示手段は、
前記ファイル表示設定手段による設定に基づいて、登録済みの前記ファイルの内容の少なくとも一部を表示することを特徴とする請求項１に記載のテープ印刷装置。
【請求項３】
前記ファイル登録手段は、
前記ファイル毎に、当該ファイルを特定するためのファイル番号および当該ファイルのファイル名を登録し、
前記ファイル情報縮小表示手段は、
前記ファイルの内容に加え、前記ファイル番号および前記ファイル名の少なくとも１つを表示することを特徴とする請求項１または２に記載のテープ印刷装置。
【請求項４】
前記ファイルの内容の表示に際し、前記表示画面の表示内容を、画面単位で切り替える表示切替手段をさらに備えたことを特徴とする請求項１ないし３のいずれか1項に記載のテープ印刷装置。
【請求項５】
情報を入力するための入力部を有するテープ印刷装置の制御方法であって、
入力された前記情報に基づく編集データをファイルとして登録するファイル登録ステップと、
登録済みの前記ファイルの中から、１のファイルを選択するファイル選択ステップと、
前記１のファイルの選択に際し、前記ファイルの内容を確認するために、登録済みの前記ファイルの内容の少なくとも一部を、入力時における表示文字サイズよりも小さい文字サイズで表示画面に表示するファイル情報縮小表示ステップと、を備えたことを特徴とする制御方法。
【発明の詳細な説明】
【技術分野】
【０００１】
本発明は、作成したデータをファイルとして登録することができるテープ印刷装置およびその制御方法に関するものである。
【背景技術】
【０００２】
従来、ユーザーが作成したラベルのデータを、装置本体にファイルとして登録（保存）することができるテープ印刷装置が知られている。このテープ印刷装置では、ユーザーが情報（テキストや画像など）を入力した後、所定のキー操作を行うことにより当該情報をファイルとして登録する（ファイル登録機能）。また、登録したファイルは、所定のキー操作によりユーザーが所望するタイミングで呼び出すことができる（ファイル呼出機能）。この時、呼び出し対象となるファイルの内容を、実際にファイルを呼び出す前に表示画面に表示する。これにより、ユーザーはファイルを呼び出す前に、その内容を確認することができる（例えば、非特許文献１参照）。
【先行技術文献】
【非特許文献】
【０００３】
【非特許文献１】「テプラ」ＰＲＯ  ＳＲ８２８  取扱説明書、第２版（１９９８年７月発行）、ｐ．１２２−ｐ．１２３
【発明の概要】
【発明が解決しようとする課題】
【０００４】
しかしながら、上記のようなテープ印刷装置は表示画面が小さいため、ファイルの内容を確認する際に、ファイルの内容のごく一部しか表示画面には表示することができない。このため、ユーザーがファイル呼び出し時にその内容を確認する場合、カーソルを操作して表示を上下左右にスクロールさせてファイルの内容を確認し、呼び出したいファイルを特定しなくてはならないため、手間がかかるものであった。
【０００５】
本発明は、上記の問題に鑑みたものであり、簡単に、登録されたファイルの中から所望のファイルを選択することができるテープ印刷装置およびその制御方法を提供することを目的とする。
【課題を解決するための手段】
【０００６】
本発明のテープ印刷装置は、情報を入力するための入力手段と、入力された情報に基づく編集データをファイルとして登録するファイル登録手段と、登録済みのファイルの中から、１のファイルを選択するファイル選択手段と、１のファイルの選択に際し、ファイルの内容を確認するために、登録済みのファイルの内容の少なくとも一部を、入力手段における表示文字サイズよりも小さい文字サイズで表示画面に表示するファイル情報縮小表示手段と、を備えたことを特徴とする。
【０００７】
また、本発明のテープ印刷装置の制御方法は、情報を入力するための入力部を有するテープ印刷装置の制御方法であって、入力された情報に基づく編集データをファイルとして登録するファイル登録ステップと、登録済みのファイルの中から、１のファイルを選択するファイル選択ステップと、１のファイルの選択に際し、ファイルの内容を確認するために、登録済みのファイルの内容の少なくとも一部を、入力時における表示文字サイズよりも小さい文字サイズで表示画面に表示するファイル情報縮小表示ステップと、を備えたことを特徴とする。
【０００８】
これらの構成によれば、登録されたファイルの内容を確認する際に、表示画面にその内容を縮小表示することができる。これにより、例えば、ユーザーがファイル呼び出し時にその内容を確認する場合、縮小表示をすることにより、一度により多くの情報を視認することができるため、カーソル操作により画面をスクロールさせるなどの手間を軽減することができ、登録済みのファイルの中から、簡単に呼び出したいファイルを特定し、選択することができる。
【０００９】
本発明のテープ印刷装置において、登録済みのファイルを表示画面に表示する際の文字サイズ、表示可能な行数および表示可能な文字数の内、少なくとも１つを設定するためのファイル表示設定手段をさらに備え、ファイル情報縮小表示手段は、ファイル表示設定手段による設定に基づいて、登録済みのファイルの内容の少なくとも一部を表示することが好ましい。
【００１０】
この構成によれば、ファイルの内容を表示する際の、文字サイズ、行数および文字数等を設定することができる。これにより、ユーザーの好みの設定でファイルの内容を表示することができる。
【００１１】
本発明のテープ印刷装置において、ファイル登録手段は、ファイル毎に、当該ファイルを特定するためのファイル番号および当該ファイルのファイル名を登録し、ファイル情報縮小表示手段は、ファイルの内容に加え、ファイル番号およびファイル名の少なくとも１つを表示することが好ましい。
【００１２】
この構成によれば、ファイルの内容に加え、ファイル番号およびファイル名の少なくとも１つを表示できるため、ユーザーがファイルを選択する際、所望のファイルを特定しやすくなり、利便性が良い。
【００１３】
本発明のテープ印刷装置において、表示画面の表示内容を、画面単位で切り替える表示切替手段をさらに備えたことが好ましい。
【００１４】
この構成によれば、表示画面にファイルの内容の全てが表示できない場合であっても、ユーザーは表示内容を画面単位で切り替えることでファイル内容の全てを確認することができる。特に、ファイルの内容が長文のテキストなどで構成されている場合には、画面単位で素早く表示内容を切り替えることができるため、利便性が良い。
【図面の簡単な説明】
【００１５】
【図１】本発明の一実施形態に係るテープ印刷装置の開蓋状態における外観斜視図である。
【図２】表示画面における表示文字について説明する図である。
【図３】テープ印刷装置の制御ブロック図である。
【図４】ファイル操作機能の機能一覧について説明する図である。
【図５】「縮小検索」選択時の画面遷移を説明する図である。
【図６】「特定番号」選択時の画面遷移を説明する図である。
【発明を実施するための形態】
【００１６】
以下、本発明の一実施形態について、添付図面を参照しながら詳細に説明する。図１は、本実施形態に係るテープ印刷装置１の開閉蓋４を開いた状態の外観斜視図である。図１に示すようにテープ印刷装置１は、装置ケース２により外装が形成され、装置ケース２の前部上面には各種入力キーを備えたキーボード３（入力手段）が配置されると共に、後部上面には、その左部に開閉蓋４が取り付けられ、その右部には表示画面５が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００１７】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。機能キー群３ｂには、［印刷］キー１１、カーソルキー１２、[選択]キー１３、［ファイル］キー１４などが含まれる。なお、これらのキー入力は、一般的なキーボードと同様に、キー入力毎に個別にキーを設けても良いし、シフトキー等と組み合わせてより少ない数のキーを用いて入力するようにしても良い。
【００１８】
［印刷］キー１１は、印刷実行を指示するためのキーである。カーソルキー１２は、上下左右キー（［↑］，［↓］，［←］，［→］）から成り、カーソル移動やスクロール操作を行うためのキーである。また、［選択］キー１３は、選択候補（選択肢）の選択および確定操作を行うためのキーである。
【００１９】
一方、［ファイル］キー１４は、入力された情報に基づいた編集データ（テキストデータや画像データ等）をファイルとして登録したり、あるいは登録したファイルの呼び出し／消去／複写／ファイル表示設定などを行うためのキーである（詳細は後述する）。
【００２０】
装置ケース２の左側部には、カートリッジ装着部６と外部とを連通するテープ排出口２１が形成され、このテープ排出口２１には、送り出した印刷テープＴを切断するためのテープカッター２２（フルカッター５２およびハーフカッター５４，図３参照）が臨んでいる。そして、テープ排出口２１から印刷済みの印刷テープＴが所定長さだけ送り出され、送りを一旦停止させた状態で、この印刷済みの印刷テープＴをテープカッター２２により切断することにより、短冊状のラベルを作成する。
【００２１】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモーター３０（図３参照）が内蔵されている。
【００２２】
テープカートリッジＣは、カートリッジケース３１内部の上部中央部に、一定の幅（４ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４を覆うヘッドカバー２５に差し込まれるための貫通孔３４が形成されている。さらに、貫通孔３４に差し込まれたヘッドユニット２４は印刷テープＴとインクリボンＲとが重なる部分に対応して、前記プラテン駆動軸２７に嵌合されて回転駆動するプラテンローラー３５が配置されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００２３】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラー３５に当接して印刷が可能になる。その後、ユーザーが表示画面５の編集結果を確認しながらキーボード３により所望のテキスト（文字、数字、記号、簡易図形等のキャラクタ）や画像を入力し、印刷を指示すると、テープ印刷装置１は、テープ送りモーター３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモーター３０は、余白分を含むテープ長さの位置まで印刷テープＴの送りを行った後、その送りを停止する（その後、切断処理に移行する）。
【００２４】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサー（マイクロスイッチ等）３７（図３参照）が、複数設けられており、このテープ識別センサー３７により複数の孔の状態を検出することで、テープ種別を判別できるようになっている。
【００２５】
表示画面５は、液晶ディスプレイであり、ユーザーがキーボード３を用いて入力した入力情報に基づく編集結果、および当該編集結果に基づいて生成された印刷データ等を確認したりする際に用いられる。図２に示すように、この表示画面５では、入力された文字の表示に際し、１文字あたり１６ｄｏｔ×１６ｄｏｔの文字サイズ（以下、「通常文字サイズ」と称す。）で表示し、１画面内に６文字（１行あたりの文字数）×４行の文字表示が可能となっている。なお、図中の符号Ｍ１，Ｍ２，Ｍ３，Ｍ４は、各文字列が何行目に位置するかを示す行頭マークを示し、符号Ｋは、編集位置を示すカーソルの位置を示す。
【００２６】
次に、図３の制御ブロック図を参照し、テープ印刷装置１の制御構成について説明する。テープ印刷装置１は、操作部４１、検出部４２、印刷部４３、切断部４４、駆動部４５、およびこれら各部と接続して、テープ印刷装置１全体を制御する制御部４０を有している。
【００２７】
操作部４１は、キーボード３上の文字キー群３ａや機能キー群３ｂからの情報の入力・編集や設定、およびこれら各種情報の表示画面５への表示等、ユーザーインターフェイスとして機能する。検出部４２は、上述したテープ識別センサー３７を有し、印刷テープＴ（テープカートリッジＣ）の種別を検出する。印刷部４３は、印刷ヘッド２６およびテープ送りモーター３０を有し、印刷テープＴおよびインクリボンＲを搬送しながら印刷テープＴ上に、生成された印刷データに基づく印刷を行う。
【００２８】
切断部４４は、印刷テープＴをフルカットするフルカッター５２およびこれを駆動するフルカッターモーター５１と、印刷テープＴをハーフカットするハーフカッター５４およびこれを駆動するハーフカッターモーター５３と、を有している。そして、これらフルカッター５２およびハーフカッター５４により、印刷部４３で印刷処理済みの印刷テープＴを所定の長さになるように切断し、ラベルを作成する。駆動部４５は、ディスプレイドライバー５５、ヘッドドライバー５６、テープ送りモータードライバー５７およびカッターモータードライバー５８を有し、各部を駆動する。
【００２９】
制御部４０は、ＣＰＵ（Central Processing Unit）６１、ＲＯＭ（Read Only Memory）６２、ＲＡＭ（Random Access Memory）６３、フラッシュＲＯＭ６４、および入出力制御装置（以下、「ＩＯＣ：Input Output Controller」と称する）６５を備え、これらは互いに内部バス６６により接続されている。
【００３０】
ＲＯＭ６２は、ＣＰＵ６１が各種制御を行うための制御プログラムおよび制御データを記憶している。ＲＡＭ６３は、ＣＰＵ６１が各種処理を実行するための作業領域として使用される。
【００３１】
フラッシュＲＯＭ６４は、ファイル領域７１を有している。ファイル領域７１は、ユーザーにより入力された編集データ毎にファイルとして記憶する。この記憶した各ファイルには、各ファイルを特定するためのファイル番号１０１、およびユーザーにより各ファイルに付けられたファイル名１０２が関連付けられている（いずれも図５参照）。
【００３２】
上記の構成により、ＣＰＵ６１は、ＲＯＭ６２内の各種制御プログラムに従って、ＩＯＣ６５を介してテープ印刷装置１内の各部から各種信号・データを入力する。また、入力された各種信号・データに基づいてＲＡＭ６３内の各種データを処理し、ＩＯＣ６５を介してテープ印刷装置１の各部に各種信号・データを出力することにより、入力編集処理や印刷切断処理の制御を行なう。
【００３３】
ここで、図４を参照して、ファイルを操作するための各種機能（ファイル操作機能８１）について説明する。図４に示すように、ファイル操作機能８１は、ファイル登録機能８２（ファイル登録手段）、ファイル呼出機能８３、ファイル消去機能８４、ファイル複写機能８５、およびファイル表示設定機能８６（ファイル表示設定手段）から構成されており、これら各機能（８２〜８６）は、［ファイル］キー１４の操作により選択することができる。
【００３４】
ファイル登録機能８２は、ユーザーにより入力された編集データ毎にファイルとして登録（保存）する機能であり、各ファイルのファイル内容１０３（図５参照）、ファイル番号１０１およびファイル名１０２（以下、これらをまとめて「ファイル情報」と称す。）を関連付けて登録する。
【００３５】
ファイル消去機能８４は、登録したファイルを削除する機能であり、登録した全てのファイルの中から、ユーザーにより選択されたファイルを消去する。
【００３６】
ファイル複写機能８５は、登録したファイルを複写する機能であり、登録した全てのファイルの中から、ユーザーにより選択されたファイルを別のファイルとして登録する。
【００３７】
ファイル呼出機能８３は、登録したファイルを呼び出す機能であり、登録した全てのファイルの中から、ユーザーにより選択されたファイルを呼び出す。このファイル呼出機能８３は、呼び出し対象となるファイルを選択するために「縮小検索９１（ファイル選択手段，ファイル情報縮小表示手段）」および「特定番号９２」の２つの選択肢を有している。
【００３８】
「縮小検索９１」は、登録されているファイルのファイル情報を縮小表示し、ファイル番号順（昇順／降順）に検索することで、呼び出し対象となるファイルを選択（特定）するものである。この縮小表示とは、ファイル情報を確認する画面において、そのファイル情報を通常文字サイズより小さい文字サイズ（以下、「縮小文字サイズ」と称す）」で表示することである（詳細は後述する）。なお、縮小文字サイズは、後述のファイル表示設定機能８６による設定に基づいて決定される。
【００３９】
一方、「特定番号９２」は、ファイル番号１０１を指定して呼び出し対象となるファイルを選択（特定）するものである。この場合、ファイル情報を確認する画面では、指定したファイル番号１０１に対応するファイル情報を通常文字サイズで表示する（詳細は後述する）。
【００４０】
ファイル表示設定機能８６は、「縮小検索９１」における縮小文字サイズを設定する機能であり、「４ｄｏｔ×４ｄｏｔ」、「６ｄｏｔ×６ｄｏｔ」、「８ｄｏｔ×８ｄｏｔ（デフォルト設定）」、「１０ｄｏｔ×１０ｄｏｔ」の４つの選択肢を有している。これにより、ユーザーの好みの文字サイズでファイルの内容を表示することができる。なお、上記の縮小文字サイズの選択肢は一例であり、通常文字サイズよりも小さい文字サイズであれば良い。
【００４１】
ここで、図５および図６を参照して、ファイル呼出機能８３における「縮小検索９１」および「特定番号９２」を選択した場合の表示画面５について説明する。図５は、「縮小検索９１」を選択した場合の画面遷移を示す図である。なお、縮小文字サイズは、「８ｄｏｔ×８ｄｏｔ」に設定されているものとする。
【００４２】
まず、ファイル呼出画面５ａ（５）で「縮小検索９１」を反転表示させた状態で「選択」キー１３が押されると（Ｄ０１）、テープ印刷装置１は、ファイル情報の確認画面５ｂ（５）に、登録されたファイルの内、一番小さいファイル番号１０１（ファイル番号「０１」）で登録されたファイルのファイル情報（ファイル番号１０１、ファイル名１０２およびファイル内容１０３）を表示する（Ｄ０２）。
【００４３】
この時、確認画面５ｂに表示するファイル情報は、縮小文字サイズとして設定された「８ｄｏｔ×８ｄｏｔ」の文字サイズで表示される。つまり、通常文字サイズ（１６ｄｏｔ×１６ｄｏｔ）では確認画面のファイル内容は、１画面内に２行分の文字しか表示することはできないが（図６：Ｄ１２参照）、縮小文字サイズで表示することで、１画面内に８行分の文字を表示することができる。なお、図５の確認画面５ｂにおいては、１行分の表示領域にファイル番号１０１およびファイル名１０２が表示され、７行分の表示領域にファイル内容１０３が表示される。
【００４４】
次に、画面Ｄ０２の状態で、［シフト］キーと［↓］キー１２とが同時に押されると、編集データが登録されているファイルの中の、次のファイル番号１０１（ファイル番号「０５」）とファイル情報が縮小文字サイズで表示される（Ｄ０３）。以降、同様に［シフト］キーと［↓］キー１２とが同時に押される毎に、編集データが登録されているファイルの中の、次のファイル番号１０１とファイル情報に表示を切り替える（Ｄ０４〜Ｄ０５）。また、画面Ｄ０３〜画面Ｄ０５で、［シフト］キーと［↑］キー１２が同時に押されると、１つ前の画面に表示を切り替える（１つ前のファイル番号１０１とファイル情報を表示する）。つまり、編集データが登録されていないファイル番号１０１（ここでは、ファイル番号１０１が０２〜０４、０６〜０９、１１〜９８等）に関しては表示を行わず、登録されているファイル番号１０１とファイル情報のみを昇順／降順に表示する。
【００４５】
また、画面Ｄ０５の様に、ファイル内容１０３の全てが１画面中に収まらない場合、［→］キー１２を押すことにより、確認画面５ｂの表示内容をスクロールしてファイル内容１０３の続きを表示することができる（Ｄ０６，スクロール表示手段）。また、画面Ｄ０５の状態で、［シフト］キーと［→］キー１２とを同時に押すことにより、確認画面５ｂの表示内容を、画面単位で切り替えてファイル内容１０３の続きを表示することができる（Ｄ０７，表示切替手段）。なお、画面Ｄ０６および画面Ｄ０７から画面Ｄ０５への遷移は、［←］キー１２または［シフト］キーと［←］キー１２によって行うことができる。このように、確認画面５ｂにファイル内容１０３の全てが表示できない場合であっても、表示内容をスクロール、あるいは表示内容を画面単位で切り替えることができるため、ユーザーはファイル内容１０３の全てを確認することができ、利便性が良い。特に、ファイル内容１０３が長文のテキストなどで構成されている場合には、画面単位で素早く表示内容を切り替えることができるため有用である。
【００４６】
次に、図６について説明する。図６は、「特定番号９２」を選択した場合の画面遷移を示す図である。まず、ファイル呼出画面５ａで「特定番号９２」を反転表示させた状態で「選択」キー１３が押されると（Ｄ１１）、テープ印刷装置１は、呼び出し対象となるファイルのファイル番号１０１を入力（指定）する画面を表示する（Ｄ１２）。この時、表示は通常文字サイズであり、入力されたファイル番号１０１のファイル内容１０３の一部を表示する。
【００４７】
次に、画面Ｄ１２の状態で［選択］キー１３が押されると、確認画面５ｂに遷移する（Ｄ１３）。この確認画面５ｂでは、ファイル情報（ファイル内容１０３）を通常文字サイズで表示する。この画面Ｄ１３では、ファイル情報が１画面内に収まらない場合は、カーソルキー１２（［↑］，［↓］，［←］，［→］）により表示内容を上下左右にスクロールさせることができる。
【００４８】
また、画面Ｄ１３の状態で［シフト］キーと［↓］キー１２とが同時に押されると、画面Ｄ１４（図５のＤ０２）に遷移する。つまり、「縮小検索９１」に切り替わり、入力（指定）されたファイル番号１０１に対応するファイル情報（ファイル番号１０１、ファイル名１０２およびファイル内容１０３）を縮小文字サイズで表示する。
【００４９】
以上のように、本実施形態によれば、登録されたファイルの内容を確認する際に、表示画面５（確認画面５ｂ）にその内容を縮小表示することができる。これにより、例えば、ユーザーがファイル呼び出し時にその内容を確認する場合、通常文字サイズでの表示に比べて、一度により多くの情報を視認することができるため、カーソル操作により画面をスクロールさせるなどの手間を軽減することができ、登録済みのファイルの中から、簡単に呼び出したいファイルを特定し、選択することができる。
【００５０】
また、ファイル内容１０３に加え、ファイル番号１０１およびファイル名１０２を縮小表示するため、ユーザーがファイルを選択する際、所望のファイルを特定しやすくなり、利便性が良い。
【００５１】
また、ファイル表示設定機能８６として、文字サイズの設定の代わりに、１画面あたりの行数、あるいは１行あたりの文字数を設定するようにしても良い。また、これら文字サイズ、行数および文字数の設定を組み合わせて設定するようにしても良い。
【００５２】
また、本実施形態では、登録したファイルのファイル情報の縮小表示について説明したが、これに限るものではなく、テープ印刷装置１に「あて名」や「外字」を登録し、これらの内容を縮小表示する場合にも適用可能である。
【００５３】
また、上述した実施例によらず、テープ印刷装置１の装置構成や処理工程等について、本発明の要旨を逸脱しない範囲で、適宜変更も可能である。
【符号の説明】
【００５４】
１…テープ印刷装置  ３…キーボード  ５…表示画面  ８２…ファイル登録機能  ８６…ファイル表示設定機能  ９１…縮小検索  １０１…ファイル番号  １０２…ファイル名  １０３…ファイル内容
【図１】
2010173072.tif 000003
【図２】
2010173072.tif 000004
【図３】
2010173072.tif 000005
【図４】
2010173072.tif 000006
【図５】
2010173072.tif 000007
【図６】
2010173072.tif 000008